(57)【要約】【課題】  文字情報を簡単に入力することができる携帯電話端末の文字入力方法を提供する。【解決手段】  図２（ａ）に示すように文字入力中で、かつカーソルが本文の途中に位置しているときに、＊キー１９及びマルチファンクションキー２２の↑を同時に押下することにより、図２（ｂ）に示すように本文の途中にあったカーソルを本文の先頭へ移動させることができる。また、図２（ａ）に示すように文字入力中で、かつカーソルが本文の途中に位置しているときに、＊キー１９及びマルチファンクションキー２２の↓を同時に押下することにより、図２（ｃ）に示すように本文の途中にあったカーソルを本文の最後尾へ移動させることができる。【選択図】  図２
2006217137.tif 000002
【特許請求の範囲】
【請求項１】
少なくとも２種類のキーを有する携帯電話端末の文字入力装置において、
２種類のキーを同時押下することにより、オブジェクト本体を直接起動させるショートカット手段を有することを特徴とする携帯電話端末の文字入力装置。
【請求項２】
前記ショートカット手段は、２種類のキーを同時押下することにより、カーソルを移動させる移動手段を有することを特徴とする請求項１記載の携帯電話端末の文字入力装置。
【請求項３】
前記移動手段は、前記カーソルを本文の先頭又は最後尾に移動させることを特徴とする請求項２記載の携帯電話端末の文字入力装置。
【請求項４】
前記移動手段は、前記カーソルを文頭又は文末に移動させることを特徴とする請求項２又は３記載の携帯電話端末の文字入力装置。
【請求項５】
前記ショートカット手段は、２種類のキーを同時押下することにより、濁点・半濁点のみを消去する消去手段を有することを特徴とする請求項１から４のいずれか1項記載の携帯電話端末の文字入力装置。
【請求項６】
前記ショートカット手段は、２種類のキーを同時押下することにより、直前の操作を取り消す取消手段を有することを特徴とする請求項１から５のいずれか１項記載の携帯電話端末の文字入力装置。
【請求項７】
前記取消手段は、前記２種類のキーが押下された回数分、直前の操作を取り消すことを特徴とする請求項６記載の携帯電話端末の文字入力装置。
【請求項８】
前記ショートカット手段は、２種類のキーを同時押下することにより、直前の操作を回復する回復手段を有することを特徴とする請求項１から７のいずれか１項記載の携帯電話端末の文字入力装置。
【請求項９】
前記回復手段は、前記２種類のキーが同時押下された回数分、直前の操作を回復することを特徴とする請求項８記載の携帯電話端末の文字入力装置。
【請求項１０】
前記ショートカット手段は、２種類のキーを同時押下することにより、カーソルの位置を基準に複数の文字を選択する選択手段を有することを特徴とする請求項１から９のいずれか1項記載の携帯電話端末の文字入力装置。
【請求項１１】
前記選択手段は、前記２種類のキーが同時押下された回数分、前記カーソルの位置から本文の先頭又は本文の最後尾に向かって複数の文字を選択することを特徴とする請求項１２記載の携帯電話端末の文字入力装置。
【請求項１２】
少なくとも２種類のキーを有する携帯電話端末の文字入力装置の文字入力方法において、
２種類のキーを同時押下することにより、オブジェクト本体を直接起動させるショートカット工程を有することを特徴とする文字入力方法。
【請求項１３】
前記ショートカット工程は、２種類のキーを同時押下することにより、カーソルを移動させる移動工程を有することを特徴とする請求項１２記載の文字入力方法。
【請求項１４】
前記移動工程は、前記カーソルを本文の先頭又は最後尾に移動させることを特徴とする請求項１３記載の文字入力方法。
【請求項１５】
前記移動工程は、前記カーソルを文頭又は文末に移動させることを特徴とする請求項１３又は１４記載の文字入力方法。
【請求項１６】
前記ショートカット工程は、２種類のキーを同時押下することにより、濁点・半濁点のみを消去する消去工程を有することを特徴とする請求項１２から１５のいずれか1項記載の文字入力方法。
【請求項１７】
前記ショートカット工程は、２種類のキーを同時押下することにより、直前の操作を取り消す取消工程を有することを特徴とする請求項１２から１６のいずれか１項記載の文字入力方法。
【請求項１８】
前記取消工程は、前記２種類のキーが押下された回数分、直前の操作を取り消すことを特徴とする請求項１７記載の文字入力方法。
【請求項１９】
前記ショートカット工程は、２種類のキーを同時押下することにより、直前の操作を回復する回復工程を有することを特徴とする請求項１２から１８のいずれか１項記載文字入力方法。
【請求項２０】
前記回復工程は、前記２種類のキーが同時押下された回数分、直前の操作を回復することを特徴とする請求項１９記載の文字入力方法。
【請求項２１】
前記ショートカット工程は、２種類のキーを同時押下することにより、カーソルの位置を基準に複数の文字を選択する選択工程を有することを特徴とする請求項１２から２０のいずれか1項記載の文字入力方法。
【請求項２２】
前記選択工程は、前記２種類のキーが同時押下された回数分、前記カーソルの位置から本文の先頭又は本文の最後尾に向かって複数の文字を選択することを特徴とする請求項２１記載の文字入力方法。
【請求項２３】
少なくとも２種類のキーを有する携帯電話端末の文字入力装置の文字入力プログラムにおいて、
２種類のキーを同時押下することにより、オブジェクト本体を直接起動させるショートカット処理を有することを特徴とする文字入力プログラム。
【請求項２４】
前記ショートカット処理は、２種類のキーを同時押下することにより、カーソルを移動させる移動処理を有することを特徴とする請求項２３記載の文字入力プログラム。
【請求項２５】
前記移動処理は、前記カーソルを本文の先頭又は最後尾に移動させることを特徴とする請求項２４記載の文字入力プログラム。
【請求項２６】
前記移動処理は、前記カーソルを文頭又は文末に移動させることを特徴とする請求項２４又は２５記載の文字入力プログラム。
【請求項２７】
前記ショートカット処理は、２種類のキーを同時押下することにより、濁点・半濁点のみを消去する消去処理を有することを特徴とする請求項２３から２６のいずれか1項記載の文字入力プログラム。
【請求項２８】
前記ショートカット処理は、２種類のキーを同時押下することにより、直前の操作を取り消す取消処理を有することを特徴とする請求項２３から２７のいずれか１項記載の文字入力プログラム。
【請求項２９】
前記取消処理は、前記２種類のキーが押下された回数分、直前の操作を取り消すことを特徴とする請求項２８記載の文字入力プログラム。
【請求項３０】
前記ショートカット処理は、２種類のキーを同時押下することにより、直前の操作を回復する回復処理を有することを特徴とする請求項２３から２９のいずれか１項記載文字入力プログラム。
【請求項３１】
前記回復処理は、前記２種類のキーが同時押下された回数分、直前の操作を回復することを特徴とする請求項３０記載の文字入力プログラム。
【請求項３２】
前記ショートカット処理は、２種類のキーを同時押下することにより、カーソルの位置を基準に複数の文字を選択する選択処理を有することを特徴とする請求項２３から３１のいずれか1項記載の文字入力プログラム。
【請求項３３】
前記選択処理は、前記２種類のキーが同時押下された回数分、前記カーソルの位置から本文の先頭又は本文の最後尾に向かって複数の文字を選択することを特徴とする請求項３２記載の文字入力プログラム。
【発明の詳細な説明】
【技術分野】
【０００１】
本発明は、携帯電話端末の文字入力装置、文字入力方法、及び文字入力プログラムに関し、特に、文字情報を簡単に入力することができる携帯電話端末の文字入力装置、文字入力方法、及び文字入力プログラムに関する。
【背景技術】
【０００２】
従来の携帯電話端末は、通話を主目的としていたため、最低限のキー数を供えていればその使用に支障なかった。しかし、近年の携帯電話端末は多機能化が進み、それに伴い要求されるキー数も増えている。そのため、ソフトキー等により有効なキー数を増やして対応している。しかし、携帯電話端末の性質上、操作部のキー数を増やすことは難しく限界がある。そのため、今後さらに機能が多様化した場合、アプリケーションに連動するキー操作が困難になる可能性が高い。
【０００３】
特許文献１では、ショートカット操作に対応する複数のキーコードをＲＯＭに一連記憶させたＣＰＵと、該複数のキーコードのそれぞれに対応し該ショートカット操作を表すショートカット入力用キーボードを設けることにより、同時操作するキーの組合せを覚えること、又はキーの組合せ表を見る必要なしに、ショートカット操作が可能となり、初心者にもショートカット操作が利用できる入力装置が提案されている。
【０００４】
特許文献２では、第１キーと第２キーの同時押下に基づいて、アルファベット、カタカナ、ひらがな、数字・記号等の文字種類を順次選択的に切り替え、第３キーと第４キーの同時押下に基づいて、アルファベット選択時の大文字と小文字との切り替え、カタカナならびにひらがな選択時の文字行の切り替え、数字・記号選択時の数字と記号との切り替えを行ない、第１キーから第４キーの単独押下で入力対象となる所望の文字を選択指定することにより、少なくとも４種類のキーを用いて各種の文字を効率的に入力できる文字入力方式が提案されている。
【特許文献１】特開平１０−０２７０５５号公報
【特許文献２】特開平１１−１１０１０８号公報
【発明の開示】
【発明が解決しようとする課題】
【０００５】
しかし、上記の発明は以下の問題を有している。
【０００６】
特許文献１記載の入力装置は、ショートカット操作に対応する複数のキーコードをＲＯＭに一連記憶させたＣＰＵと、該複数のキーコードのそれぞれに対応し該ショートカット操作を表すショートカット入力用キーボードを設けることにより、ショートカット操作の簡易化を図っており、限られたキーによって文字入力操作の単純化を図ることはできない。
【０００７】
特許文献２記載の文字入力方式は、キーの同時押下により文字入力の種類（平仮名入力、カタカナ、英数字、半角、全角等）を切り替えることにより文字入力の種類の選択操作を簡易化したものであり、文字入力操作時の効率化は図られていない。
【０００８】
そこで、本発明は、携帯電話端末の限られたキー数の中で、複数のキーを同時に操作可能とすることにより、機能の拡張に容易に対応でき、かつユーザの利便性を向上させた携帯電話端末の文字入力装置、文字入力方法、及び文字入力プログラムを提案することを目的としている。
【課題を解決するための手段】
【０００９】
請求項１記載の発明は、少なくとも２種類のキーを有する携帯電話端末の文字入力装置において、２種類のキーを同時押下することにより、オブジェクト本体を直接起動させるショートカット手段を有することを特徴とする。
【００１０】
請求項２記載の発明は、請求項１記載の携帯電話端末の文字入力装置において、前記ショートカット手段は、２種類のキーを同時押下することにより、カーソルを移動させる移動手段を有することを特徴とする。
【００１１】
請求項３記載の発明は、請求項２記載の携帯電話端末の文字入力装置において、前記移動手段は、前記カーソルを本文の先頭又は最後尾に移動させることを特徴とする。
【００１２】
請求項４記載の発明は、請求項２又は３記載の携帯電話端末の文字入力装置において、前記移動手段は、前記カーソルを文頭又は文末に移動させることを特徴とする。
【００１３】
請求項５記載の発明は、請求項１から４のいずれか１項記載の携帯電話端末の文字入力装置において、前記ショートカット手段は、２種類のキーを同時押下することにより、濁点・半濁点のみを消去する消去手段を有することを特徴とする。
【００１４】
請求項６記載の発明は、請求項１から５のいずれか１項記載の携帯電話端末の文字入力装置において、前記ショートカット手段は、２種類のキーを同時押下することにより、直前の操作を取り消す取消手段を有することを特徴とする。
【００１５】
請求項７記載の発明は、請求項６記載の携帯電話端末の文字入力装置において、前記取消手段は、前記２種類のキーが押下された回数分、直前の操作を取り消すことを特徴とする。
【００１６】
請求項８記載の発明は、請求項１から７のいずれか１項記載の携帯電話端末の文字入力装置において、前記ショートカット手段は、２種類のキーを同時押下することにより、直前の操作を回復する回復手段を有することを特徴とする。
【００１７】
請求項９記載の発明は、請求項８記載の携帯電話端末の文字入力装置において、前記回復手段は、前記２種類のキーが同時押下された回数分、直前の操作を回復することを特徴とする。
【００１８】
請求項１０記載の発明は、請求項１から９のいずれか１項記載の携帯電話端末の文字入力装置において、前記ショートカット手段は、２種類のキーを同時押下することにより、カーソルの位置を基準に複数の文字を選択する選択手段を有することを特徴とする。
【００１９】
請求項１１記載の発明は、請求項１２記載の携帯電話端末の文字入力装置において、前記選択手段は、前記２種類のキーが同時押下された回数分、前記カーソルの位置から本文の先頭又は本文の最後尾に向かって複数の文字を選択することを特徴とする。
【００２０】
請求項１２記載の発明は、少なくとも２種類のキーを有する携帯電話端末の文字入力装置の文字入力方法において、２種類のキーを同時押下することにより、オブジェクト本体を直接起動させるショートカット工程を有することを特徴とする。
【００２１】
請求項１３記載の発明は、請求項１２記載の文字入力方法において、前記ショートカット工程は、２種類のキーを同時押下することにより、カーソルを移動させる移動工程を有することを特徴とする。
【００２２】
請求項１４記載の発明は、請求項１３記載の文字入力方法において、前記移動工程は、前記カーソルを本文の先頭又は最後尾に移動させることを特徴とする。
【００２３】
請求項１５記載の発明は、請求項１３又は１４記載の文字入力方法において、前記移動工程は、前記カーソルを文頭又は文末に移動させることを特徴とする。
【００２４】
請求項１６記載の発明は、請求項１２から１５のいずれか１項記載の文字入力方法において、前記ショートカット工程は、２種類のキーを同時押下することにより、濁点・半濁点のみを消去する消去工程を有することを特徴とする。
【００２５】
請求項１７記載の発明は、請求項１２から１６のいずれか１項記載の文字入力方法において、前記ショートカット工程は、２種類のキーを同時押下することにより、直前の操作を取り消す取消工程を有することを特徴とする。
【００２６】
請求項１８記載の発明は、請求項１７記載の文字入力方法において、前記取消工程は、前記２種類のキーが押下された回数分、直前の操作を取り消すことを特徴とする。
【００２７】
請求項１９記載の発明は、請求項１２から１８のいずれか１項記載の文字入力方法において、前記ショートカット工程は、２種類のキーを同時押下することにより、直前の操作を回復する回復工程を有することを特徴とする。
【００２８】
請求項２０記載の発明は、請求項１９記載の文字入力方法において、前記回復工程は、前記２種類のキーが同時押下された回数分、直前の操作を回復することを特徴とする。
【００２９】
請求項２１記載の発明は、請求項１２から２０のいずれか１項記載の文字入力方法において、前記ショートカット工程は、２種類のキーを同時押下することにより、カーソルの位置を基準に複数の文字を選択する選択工程を有することを特徴とする。
【００３０】
請求項２２記載の発明は、請求項２１記載の文字入力方法において、前記選択工程は、前記２種類のキーが同時押下された回数分、前記カーソルの位置から本文の先頭又は本文の最後尾に向かって複数の文字を選択することを特徴とする。
【００３１】
請求項２３記載の発明は、少なくとも２種類のキーを有する携帯電話端末の文字入力装置の文字入力プログラムにおいて、２種類のキーを同時押下することにより、オブジェクト本体を直接起動させるショートカット処理を有することを特徴とする。
【００３２】
請求項２４記載の発明は、請求項２３記載の文字入力プログラムにおいて、前記ショートカット処理は、２種類のキーを同時押下することにより、カーソルを移動させる移動処理を有することを特徴とする。
【００３３】
請求項２５記載の発明は、請求項２４記載の文字入力プログラムにおいて、前記移動処理は、前記カーソルを本文の先頭又は最後尾に移動させることを特徴とする。
【００３４】
請求項２６記載の発明は、請求項２４又は２５記載の文字入力プログラムにおいて、前記移動処理は、前記カーソルを文頭又は文末に移動させることを特徴とする。
【００３５】
請求項２７記載の発明は、請求項２３から２６のいずれか１項記載の文字入力プログラムにおいて、前記ショートカット処理は、２種類のキーを同時押下することにより、濁点・半濁点のみを消去する消去処理を有することを特徴とする。
【００３６】
請求項２８記載の発明は、請求項２３から２７のいずれか１項記載の文字入力プログラムにおいて、前記ショートカット処理は、２種類のキーを同時押下することにより、直前の操作を取り消す取消処理を有することを特徴とする。
【００３７】
請求項２９記載の発明は、請求項２８記載の文字入力プログラムにおいて、前記取消処理は、前記２種類のキーが押下された回数分、直前の操作を取り消すことを特徴とする。
【００３８】
請求項３０記載の発明は、請求項２３から２９のいずれか１項記載の文字入力プログラムにおいて、前記ショートカット処理は、２種類のキーを同時押下することにより、直前の操作を回復する回復処理を有することを特徴とする。
【００３９】
請求項３１記載の発明は、請求項３０記載の文字入力プログラムにおいて、前記回復処理は、前記２種類のキーが同時押下された回数分、直前の操作を回復することを特徴とする。
【００４０】
請求項３２記載の発明は、請求項２３から３１のいずれか１項記載の文字入力プログラムにおいて、前記ショートカット処理は、２種類のキーを同時押下することにより、カーソルの位置を基準に複数の文字を選択する選択処理を有することを特徴とする。
【００４１】
請求項３３記載の発明は、請求項３２記載の文字入力プログラムにおいて、前記選択処理は、前記２種類のキーが同時押下された回数分、前記カーソルの位置から本文の先頭又は本文の最後尾に向かって複数の文字を選択することを特徴とする。
【発明の効果】
【００４２】
本発明は、携帯電話端末の限られたキー数の中で、複数のキーを同時に操作可能とすることにより、機能の拡張に容易に対応でき、かつユーザの利便性を向上させることができる。また、アプリケーション追加による携帯電話端末の機能の拡大化にも、キー数を増加させることなく、かつ小型化が携帯電話端末の小型化を図ることができる。
【発明を実施するための最良の形態】
【００４３】
以下、本発明の一実施形態に係る携帯電話端末の文字入力方法について説明する。
【００４４】
図１は、本実施形態に係る携帯電話端末の概略図である。
【００４５】
本実施形態に係る携帯電話端末は、操作部１、液晶表示部２、キー操作部（３〜２１）、スピーカー２３、レシーバ２５、及びアンテナ２６を有して構成される。
【００４６】
液晶表示部２は、液晶２４を有し、キー操作部（３〜２１）から入力した文字等が表示される。
【００４７】
操作部１は、キー操作部（３〜２１）を有し、ユーザはキー操作部（３〜２１）を押下することにより、所望の文字の入力、機能等の実行を要求することができる。
【００４８】
また、キー操作部は、インターネットキー３、メニューキー４、メールキー５、電話帳キー６、発信キー７、クリアキー８、電源／終了／応答保留キー９、ダイヤルキー（１０〜２１）、及びマルチファンクションキー２２を有して構成される。
【００４９】
待受画面が表示されているときにインターネットキー３を押下することにより、インターネットのメニューが表示され、該メニューから所望のメニューを選択することによりインターネットに接続することができる。
【００５０】
待受画面が表示されているときにメニューキー４を押下することにより、ユーザが設定可能なメニューが表示され、該メニューから所望のメニューを選択することにより設定を変更することができる。
【００５１】
待受画面が表示されているときにメールキー５を押下することにより、メールメニューが表示され、該メニューから所望のメニューを選択することにより、ユーザはメニューに係る機能を利用することができる。
【００５２】
待受画面が表示されているときに電話帳キー６を押下することにより、予め登録されている電話番号、メールアドレス等の一覧が表示され、ユーザは目的の電話番号、メールアドレス等を閲覧することができる。
【００５３】
発信キー７は、電話をかけるときや受けるときに押下される。
【００５４】
クリアキー８は、操作を中止し前の画面に戻すことができる。また、文字入力中は、文字を消去することができる。
【００５５】
電源／終了／応答保留キー９は、携帯電話端末の電源を入れるときやきるときに押下される。また、通話を終了するときや待受画面に戻るときにも押下される。なお、通話中に押下すると、応答を保留することができる。
【００５６】
ダイヤルキー（１０〜２１）は、電話番号や文字を入力するときに押下される。なお、キー１９は＊であり、キー２１は＃である。
【００５７】
マルチファンクションキー２２は、上下左右キー（↑、↓、←、→）及び決定キーで構成される。
【００５８】
次に、上述の操作部を用いて本実施形態に係る携帯電話端末の文字入力方法を実行する具体的な操作について説明する。
【００５９】
例えば、図２（ａ）に示すように文字入力中で、かつカーソルが本文の途中に位置しているときに、＊キー１９及びマルチファンクションキー２２の↑を同時に押下することにより、図２（ｂ）に示すように本文の途中にあったカーソルを本文の先頭へ移動させることができる。
【００６０】
また、図２（ａ）に示すように文字入力中で、かつカーソルが本文の途中に位置しているときに、＊キー１９及びマルチファンクションキー２２の↓を同時に押下することにより、図２（ｃ）に示すように本文の途中にあったカーソルを本文の最後尾へ移動させることができる。
【００６１】
例えば、図３（ａ）に示すように文字入力中で、かつカーソルが一文の途中に位置しているときに、＊キー１９及びマルチファンクションキー２２の←を同時に押下することにより、図３（ｂ）に示すようにその文の途中にあったカーソルとその文の文頭へ移動させることができる。
【００６２】
また、図３（ａ）に示すように文字入力中で、かつカーソルが一文の途中に位置しているときに、＊キー１９及びマルチファンクションキー２２の→を同時に押下することにより、図３（ｃ）に示すようにその文の途中にあったカーソルとその文の文末へ移動させることができる。
【００６３】
例えば、図４（ａ）に示すように文字入力中で、かつカーソルが濁点・半濁点を付随する文字（なお、該文字の入力が既に確定している場合に限る）に位置しているとき、＊キー１９及びクリアキー８を同時に押下することにより、図４（ｂ）に示すように該文字から濁点・半濁点のみを削除することができる。
【００６４】
例えば、誤った操作を行ない、必要な文字等を削除してしまった場合などに、＃キー２１及びマルチファンクションキー２２の↑を同時に押下することにより、元の状態へ戻すことができる。
【００６５】
例えば、図５（ａ）に示すように文字入力中で、かつカーソルが濁点・半濁点を付随する文字に位置しているとき、誤って＊キー及びクリアキー８を同時に押下することにより、図５（ｂ）に示すように該文字から濁点・半濁点を削除してしまった場合に、＃キー２１及びマルチファンクションキー２２の↑を同時に押下することにより、該文字に濁点・半濁点が付随している状態（図５（ａ）に示す）に戻すことができる。なお、＃キー２１及びマルチファンクションキー２２の↑を同時に、かつ複数回押下することにより、同時に押下した回数分だけ前の状態へ戻すことができる。
【００６６】
また、図５（ａ）に示す状態に戻した後、再び図５（ｂ）に示す状態へ戻したい場合は、＃キー２１及びマルチファンクションキー２２の↓を同時に押下することにより、図５（ｂ）に示す状態に戻すことができる。なお、＃キー２１及びマルチファンクションキー２２の↓を同時に、かつ複数回押下することにより、同時に押下した回数分だけ前の状態へ進むことができる。
【００６７】
例えば、図６（ａ）に示すように文字入力中に、＃キー２１及びマルチファンクションキー２２の←を同時に押下することにより、図６（ｂ）に示すようにカーソルが位置していた文字から文頭に向かって複数の文字を選択することができる。なお、文字の選択は、＃キー２１及びマルチファンクションキー２２の←を同時に押下した回数分だけ選択される。そして、所望の文字列を選択した後、該文字列を変換することにより、変換を忘れていた場合に後から修正することができる。
【００６８】
また、図６（ａ）に示すように文字入力中に、＃キー２１及びマルチファンクションキー２２の→を同時に押下することにより、図６（ｃ）に示すようにカーソルが位置していた文字から文末に向かって複数の文字を選択することができる。なお、文字の選択は、＃キー２１及びマルチファンクションキー２２の→を同時に押下した回数分だけ選択される。そして、所望の文字列を選択した後、該文字列を変換することにより、変換を忘れていた場合に後から修正することができる。
【図面の簡単な説明】
【００６９】
【図１】本実施形態に係る携帯電話端末の概略図である。
【図２】（ａ）は本発明に係る文字入力方法を適用する前の表示例である。（ｂ）及び（ｃ）は本発明に係る文字入力方法を適用した後の表示例である。
【図３】（ａ）は本発明に係る文字入力方法を適用する前の表示例である。（ｂ）及び（ｃ）は本発明に係る文字入力方法を適用した後の表示例である。
【図４】（ａ）は本発明に係る文字入力方法を適用する前の表示例である。（ｂ）は本発明に係る文字入力方法を適用した後の表示例である。
【図５】（ａ）及び（ｂ）は本発明に係る文字入力方法を適用している様子を示す表示例である。
【図６】（ａ）は本発明に係る文字入力方法を適用する前の表示例である。（ｂ）及び（ｃ）は本発明に係る文字入力方法を適用した後の表示例である。
【符号の説明】
【００７０】
１    操作部
２    液晶表示部
３    インターネットキー
４    メニューキー
５    メールキー
６    電話帳キー
７    発信キー
８    クリアキー
９    電源／終了／応答保留キー
１０〜２１    ダイヤルキー
２２    マルチファンクションキー
２３    スピーカー
２４    液晶
２５    レシーバ
２６    アンテナ
【図１】
2006217137.tif 000003
【図２】
2006217137.tif 000004
【図３】
2006217137.tif 000005
【図４】
2006217137.tif 000006
【図５】
2006217137.tif 000007
【図６】
2006217137.tif 000008